(57)【要約】【課題】データ保存技術の確立。【解決手段】第１対データは第１対第１データＯＣｊ−１と第１対第２データＴＣｊ−１を形成し、第２対データは２対第１データＯＣｊと、第２対第２データＴＣｊを形成し、第３対データは第３対第１データ（ＯＣｊ＋１）と第３対第２データ（ＴＣｊ＋１）を形成する。計算器４は、第１対データに対応する第１写像Ｃｊ−１により第２対第１データＯＣｊを第２対第２データＴＣｊに変換し、第２対データに対応する第２写像Ｃｊにより第３対第１データＯＣｊ＋１を第３対第２データ（ＴＣｊ＋１）に変換する。真理判定式：ＴＣ（ｊ＋１）＝Ｃｊ・ＯＣ（ｊ＋１）の正誤は計算器により判定され、データ対列の不変性又は非不変性が確認される。【選択図】          図１
2004265360.tif 000002
【特許請求の範囲】
【請求項１】
記録器と、
計算器とを構成し、
前記記録器は、第１対データと第２対データと第３対データを記録し、
前記第１対データは、
第１対第１データと、
第１対第２データを形成し、
前記第２対データは、
第２対第１データと、
第２対第２データを形成し、
前記第３対データは、
第３対第１データと、
第３対第２データを形成し、
前記計算器は、前記第１対データに対応する第１写像により前記第２対第１データを前記第２対第２データに変換し、前記第２対データに対応する第２写像により前記第３対第１データを前記第３対第２データに変換する
データ連鎖保存コンピュータ。
【請求項２】
前記第１写像は前記第１対第２データに１対１に対応し、前記第２写像は前記第２対第２データに１対１に対応する
請求項１のデータ連鎖保存コンピュータ。
【請求項３】
前記第１写像は前記第１対第１データに１対１に対応し、前記第２写像は前記第２対第１データに１対１に対応する
請求項１のデータ連鎖保存コンピュータ。
【請求項４】
前記第１対データと前記第２対データと前記第３対データとはそれぞれにＮ行０列の２元体上Ｎ次元ベクトルであり、且つ、前記第１写像と前記第２写像はＮ行Ｎ列の置換行列である
請求項１のデータ連鎖保存コンピュータ。
【請求項５】
前記Ｎは２，４，８，１６，３２，６４の中から選択される１つである
請求項４のデータ連鎖保存コンピュータ。
【請求項６】
前記第３対第１データはＯＣ（ｊ＋１）で表され、前記第３対第２データはＴＣ（ｊ＋１）で表され、前記第１写像はＣｊで表され、
前記計算器は、下記式：
ＴＣ（ｊ＋１）＝Ｃｊ・ＯＣ（ｊ＋１）
が正しいこと、又は、前記式が正しくないことを確認する
請求項１のデータ連鎖保存コンピュータ。
【請求項７】
データ保存コンピュータと、
多数のデータ保存端末を含む端末群とを構成し、
前記データ保存コンピュータは、
第１記録器と、
第１計算器とを形成し、
前記データ保存端末は、
第２記録器と、
第２計算器とを形成し、
前記第１記録器は、第１対データと第２対データと第３対データを記録し、
前記第１対データは、
第１対第１データと、
第１対第２データを形成し、
前記第２対データは、
第２対第１データと、
第２対第２データを形成し、
前記第３対データは、
第３対第１データと、
第３対第２データを形成し、
前記第１計算器は、前記第１対データに対応する第１写像により前記第２対第１データを前記第２対第２データに変換し、前記第２対データに対応する第２写像により前記第３対第１データを前記第３対第２データに変換し、
前記第２記録器は、
前記第３対第１データと前記データ保存コンピュータから受信する前記第３対第２データとを記録し、
前記データ保存端末は、前記第２写像を前記データ保存コンピュータから受信し、
前記第２記録器に記録されている第３対第１データはＯＣ（ｊ＋１）で表され、前記第２記録器に記録されている前記第３対第２データはＴＣ（ｊ＋１）で表され、前記第２写像はＣｊで表され、
前記第２計算器は、下記式：
ＴＣ（ｊ＋１）＝Ｃｊ・ＯＣ（ｊ＋１）
が正しいこと、又は、前記式が正しくないことを確認する
データ連鎖保存システム。
【請求項８】
前記式が正しくないことの前記データ保存端末の通知に対応して、前記データ保存コンピュータは、前記第２記録器の前記ＯＣ（ｊ＋１）に対応する第１記録器のデータに前記第２記録器の前記ＯＣ（ｊ＋１）を上書きする
請求項７のデータ連鎖保存システム。
【請求項９】
前記多数のデータ保存端末はネットに終端される
請求項７のデータ連鎖保存システム。
【発明の詳細な説明】
【０００１】
【発明の属する技術分野】
本発明は、データ連鎖方式に関し、特に、データの非不変性を確認する名称に関する。
【０００２】
【従来の技術】
証明可能である数学的真理の集合の任意の真理がその集合を維持する１公理体系に属すること、又は、証明可能である数学的真理の集合の任意の真理がその集合を維持する１公理体系に属さないことが証明され得る。真理は、神学者又は哲学者によれば、”真理とはそれがあることである（Ａ  ｔｒｕｔｈ  ｉｓ  ｔｈａｔ  ｉｔ  ｉｓ．）。”として定義される。このような真理性を持たないデータは、それの真偽証明性を持たない。１つのコンピュータに保存されている第１データが他の１つのコンピュータに保存されている第２データに一致すること、又は、１つのコンピュータに保存されている第１データが他の１つのコンピュータに保存されている第２データに一致しないことは、確認され得る。真理性を持たないデータに関しては、第１データと第２データとが一致しない場合に、第１データと第２データとのうちのいずれが真理であるかと問うことは、全くにナンセンスである。このような意味で、”データの改ざん”は、ナンセンスである。”改ざん”は、欧米系言語体系には存在しない。
【０００３】
全てのデータは、そのままに保存されるべきである。”１＋１＝３”はデータであり、１＋１＝３で表現される数式は真理でなく誤謬（従って、ｉｔ  ｉｓ  ｎｏｔ）である。表現の”１＋１＝３”は、これが真理でるか誤謬でるかに関係せずに、そのままに保存されることが重要である。記録部分と計算部分とを持つコンピュータは、データをそのままに保存し、且つ、命題が真理性を確認すること義務を持つ。データ保存を確定する技術は、後掲特許文献１で知られている。データがそのままに保存されていることを証明することができないということは、データ工学上の公理であると考えられる。永久機関は物理学的に存在しえないが、核融合発電機は人類の生存上では実質的に永久機関の資質を有している。全てのデータは、２元体、３元体、などの有限代数上の有限次元ベクトルとして表現できることが知られている。２元体上Ｎ次元のベクトル（Ｎ桁二進数）で表現されるデータは、そのままに保存されるべきである。電子カルテのデータ、物理実験のデータ、プライオリティーが必要なデータ、時系列性の運航記録のような変更不可の重要なデータは、そのままに保存されることが重要である。１つのデータと他の１つのデータとは論理子（＝写像）で結語されて真理（＝命題）を構成する。その真理性の証明が次に重要である。
【０００４】
データをそのままに保存することができ、且つ、命題の真理性を証明する技術の確立が求められる。真理性が破壊される場合に、データを元のままに修復することが更に望まれる。
【０００５】
【特許文献１】
特開平７−５７４８４号の段落０００７
【０００６】
【発明が解決しようとする課題】
本発明の課題は、データをそのままに保存することができ、且つ、命題の真理性を証明する技術を確立するデータ連鎖方式を提供することにある。
本発明の他の課題は、更に、データを元のままに修復するデータ連鎖方式を提供することにある。
【０００７】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００８】
本発明によるデータ連鎖保存コンピュータは、記録器（３）と、計算器（４）とから構成されている。記録器（３）は、第１対データと第２対データと第３対データを記録する。第１対データは、第１対第１データ（ＯＣｊ−１）と、第１対第２データ（ＴＣｊ−１）を形成し、第２対データは、第２対第１データ（ＯＣｊ）と、第２対第２データ（ＴＣｊ）を形成し、第３対データは、第３対第１データ（ＯＣｊ＋１）と、第３対第２データ（ＴＣｊ＋１）を形成する。計算器（４）は、第１対データに対応する第１写像（Ｃｊ−１）により第２対第１データ（ＯＣｊ）を第２対第２データ（ＴＣｊ）に変換し、第２対データに対応する第２写像（Ｃｊ）により第３対第１データ（ＯＣｊ＋１）を第３対第２データ（ＴＣｊ＋１）に変換する。
【０００９】
データ対は、数学的に新しい概念として記述される。下記真理判定式：
ＴＣ（ｊ＋１）＝Ｃｊ・ＯＣ（ｊ＋１）
は、コンピュータの計算機能により実現される命題である。この命題式が真理であるか真理でないかは、その計算により確認される。１つのデータ対に対応する写像により次のデータ対を生成することにより、順々にデータの連鎖を生成することができる。連鎖により順々に続くデータ対列の任意の１つのデータ対は、降順位置列のデータ対を順々に破壊する。連鎖順位の番号がより大きいデータ対の真理判定式の不成立の原因は、連鎖順位の番号がより小さいデータ対の破壊の事実に対応する。降順位置列の全てのデータ対の書き換えは、真理判定式の集合である真理判定式列を真理のままに維持する。このような維持は、全データの総入れ替えに相当する。このような入れ替えは、内部犯行を実質的に不可能にする。
【００１０】
写像とデータ対の対応関係は、下記の２つの場合に分かれる。
（第１関係）第１写像（Ｃｊ−１）は第１対第２データ（ＴＣｊ−１）に１対１に対応し、第２写像（Ｃｊ）は第２対第２データ（ＴＣｊ）に１対１に対応する。
（第２関係）第１写像（Ｃｊ−１）は第１対第１データ（ＯＣｊ−１）に１対１に対応し、第２写像（Ｃｊ）は第２対第１データ（ＯＣｊ）に１対１に対応する。列内順位が高い（番号が小さい）写像の連鎖的影響を受ける第１関係の連鎖強度は、列内順位が高い写像の連鎖的影響を受けない第２関係の連鎖強度より強い。実用的には、第１関係の有用性は第２関係の有用性より格段に優れている。
【００１１】
第１対データと第２対データと第３対データが２元体上Ｎ次元のベクトルであれば、既述の記録と計算は既知のコンピュータの記録と計算の両能力をそのままに利用することができる。第１写像（Ｃｊ−１）と第２写像（Ｃｊ）はＮ行Ｎ列の置換行列であることは、既述の計算を数学的に容易にする。Ｎは２，４，８，１６，３２，６４の中から選択される１つであることが、既存のコンピュータをそのままに利用することができる点で好ましい。
【００１２】
第１写像（Ｃｊ−１）と第２写像（Ｃｊ）とを記録する写像記録器（６）を設けることは禁止されない。第３対データの対関係が第２写像（Ｃｊ）に一致すること、又は、第３対データの対関係が第２写像（Ｃｊ）に一致しないことを検出する計算器は、写像記録器（６）に記録されている写像を用いて、既述の一致又は不一致を直接に検出することができる。計算器（４）は、真理判定式が正しいこと、又は、真理判定式が正しくないことを確かめることができる。真理判定式の正誤の判定は、データ対の変更の存否に１対１に対応する。任意のｊについて、全ての真理判定式が真理であることは、データ列全体の不変性に同値である。真理判定式列の最後の真理判定式の正誤は、データ列の非不変性に同値であり、データの非不変性は非不変の原因が発生した直後に最短時間で検出され得る。データ列の適正な分割は、その最短時間を更に最短化することができる。連鎖は、正方向と負方向に実行されることが好ましい。両方向連鎖は、その最短時間を更に最短化することができる。連鎖順位は、必ず時間的順位に１対１に対応するので、データ列は時系列データ列の資質を有する。このような資質は、プライオリティーの保存に対応する。
【００１３】
本発明によるデータ連鎖保存システムは、データ保存コンピュータ（１）と、多数のデータ保存端末（２）とから構成されている。データ保存コンピュータ（１）は、第１記録器（３，５）と、第１計算器（４）とから形成されている。データ保存端末（２）は、第２記録器（７，８）と、第２計算器とから形成されている。第１記録器は、既述の第１対データと既述の第２対データと既述の第３対データを記録する。データ保存端末（２）は、第２写像をデータ保存コンピュータ（１）から受信し、第２記録器に記録されている第３対第１データはＯＣ（ｊ＋１）で表され、第２記録器に記録されている第３対第２データはＴＣ（ｊ＋１）で表され、第２写像はＣｊで表され、第２計算器は、下記真理判定式：ＴＣ（ｊ＋１）＝Ｃｊ・ＯＣ（ｊ＋１）
が正しいこと、又は、その式が正しくないことを確かめる。真理判定式のこのような正誤判定は、空間的に全世界的に分散する端末により実行され、データ保存の安全性がネット内で確立され、データの完全保存が実質的に確立される。データ保存コンピュータ（１）の総入れ替えは内部犯行者により容易であるが、全世界的に拡散し分散している無数の端末に侵入してデータ列の１つ１つを書き換えることが現実的に不可能である。
【００１４】
真理判定式が正しくないことのデータ保存端末の通知を受けるデータ保存コンピュータ（１）は、第２記録器のＯＣ（ｊ＋１）に対応する第１記録器のデータに対して第２記録器のＯＣ（ｊ＋１）を上書きする。このような上書きにより、データ保存コンピュータ（１）はデータの修復を行うことができる。修復用コンピュータを別途に配置することは、賢明である。
【００１５】
【発明の実施の形態】
図に対応して、本発明によるデータ連鎖保存システムは、多数の端末と通信可能であるサーバの組み合わせとして有効に実施される。そのサーバ１は、多数の端末を要素とする端末群２に対して双方向に通信可能に接続している。端末群は、端末２−１、端末２−２、・・・、端末２−ｊ、端末２−（ｊ＋１）、・・・，端末２−ｎを含んでいる。端末群は、世界的規模で不規則に空間的に分散して配置されているが、図１では、端末側時間軸Ｔ１の上で、時系列順序数で規定される時刻列点上の分散として表現されている。
【００１６】
本明細書では、改ざんされたデータ、誤ったデータ、偽データのような概念的差別用語が存在しない。あるデータＡと他のあるデータＢとが対応関係にある場合、データＡが連鎖作用素（連鎖オペレータ）、連鎖論理変換子、連鎖関数、連鎖行列のような連鎖写像によりデータＢに変換される場合のように、データＡとデータＢとがデータ対Ａ−Ｂを形成している場合に、一方のデータＡはオリジナル・コピーといわれ、他方のデータはツルー・コピーといわれる。日本語、中国語の「改ざん」に対応する欧米の言語は存在しない。オリジナル・コピーはＯＣ又はＯＣｊで表され、ツルー・コピーはＴＣ又はＴＣｊで表される。
【００１７】
端末群２は、端末２−１〜端末２−ｎの集合である。端末２−１〜端末２−ｎの集合の任意の要素は、端末２−ｊで表される。サーバ１は、端末２−ｊからその端末に対応するオリジナル・コピーＯＣ−ｊを受信しそのオリジナル・コピーＯＣｊを記録する第１オリジナル・コピー記録部分３と、オリジナル・コピーＯＣｊを変換してツルー・コピーＴＣｊを生成する変換部分（計算部分）４と、ツルー・コピーＴＣｊを記録する第１ツルー・コピー記録部分５と、そのツルー・コピーＴＣｊに基づいて写像Ｃｊを生成する写像生成部分（計算部分又は写像記録部分）６とから形成されている。写像生成は、テーブルにより辞書的生成が可能である。写像生成部分６が、写像Ｃｊを記録することは本質的ではない。
【００１８】
端末群の任意の端末２−ｊは、オリジナル・コピーＯＣｊを生成し、且つ、オリジナル・コピーＯＣｊを記録する第２オリジナル・コピー記録部分７−ｊと、第１ツルー・コピー記録部分５から送信されてくるツルー・コピーＴＣｊを受信して記録する第２ツルー・コピー記録部分８−ｊとから形成されている。
【００１９】
下記数学的関係がある。
ＴＣｊ＝Ｃｊ−１・ＯＣｊ・・・（１）
式（１）は、Ｃｊ−１を作用素として考える表現である。式（１）の表現は、下記表現に変更される。
ＴＣｊ＝Ｃｊ−１（ＯＣｊ）・・・（１’）
式（１’）は、Ｃｊ−１を関数として考える表現である。両表現は、数学的に同値である。
【００２０】
オリジナル・コピーＯＣｊは、実用的には空間的配列順序数でレジスタに位置づけられる２元体上８次元ベクトル又は２元体上１６次元ベクトルで表される。データの全ては、一般的には、２元体上Ｎ次元ベクトルで表される。以下、記述の便宜のために、データを示す数列は２元体上８次元ベクトルで代表される。オリジナル・コピーＯＣｊの集合は、下記のように表される。
”００００００００”
”１０００００００”
・・・
”１１１１１１１０”
”１１１１１１１１”
写像Ｃｊは、２元体上８次元ベクトルを他の２元体上８次元ベクトルに変換する置換行列である。写像Ｃｊに対応する置換行列は、Ｍｊｋ−ｊで表される。２元体上８次元ベクトル集合と置換行列集合は、全単斜関係を持ち得る。
【００２１】
オリジナル・コピーＯＣｊ−１に替えられて第１ツルー・コピー記録部分３でオリジナル・コピーＯＣｊ−１’がオリジナル・コピーＯＣｊ−１に上書きされる場合が考えられる。このような上書きにより、ツルー・コピーＴＣｊ−１は、ツルー・コピーＴＣｊ−１’で上書きされ、更に、写像が記録されている場合には、写像Ｃｊ−１’が写像Ｃｊ−１に上書きされる。このような一連の上書きが実行される時間的前には、
ＴＣｊ＝Ｍｊｋ−（ｊ−１）・ＯＣｊ・・・（２）
下記式は、誤りである。
ＴＣｊ＝｛Ｍｊｋ−（ｊ−１）｝’・ＯＣｊ・・・（３）
式（３）の正誤の判別は、サーバ１で実行される。上書きの後には、式（３）は誤りであることが検出される。
【００２２】
オリジナル・コピーＯＣｊ−１がオリジナル・コピーＯＣｊ−１’により上書きされた際に同時的に、オリジナル・コピーＯＣｊがオリジナル・コピーＯＣｊ’により上書きされ、ツルー・コピーＴＣｊがツルー・コピーＴＣｊ’により上書きされ、又は、オリジナル・コピーＯＣｊとツルー・コピーＴＣｊがオリジナル・コピーＯＣｊ’とツルー・コピーＴＣｊ’とによりそれぞれに上書きされることが１００万分の１の程度の確率であり得る。
ＴＣｊ＝｛Ｍｊｋ−（ｊ−１）｝’・ＯＣｊ’・・・（３−１）
ＴＣｊ’＝｛Ｍｊｋ−（ｊ−１）｝’・ＯＣｊ・・・（３−２）
ＴＣｊ’＝｛Ｍｊｋ−（ｊ−１）｝’・ＯＣｊ’・・・（３−３）
３つの式（３−１，２，３）は、いずれもが正しいことがあり得る。このような場合には、サーバ１は、オリジナル・コピーＯＣｊ−１がオリジナル・コピーＯＣｊ−１’により上書きされたことを検出することができない。このような検出不能は、レジスタに対する放射線の衝突、犯罪特による内部犯行、又は、トランジスタの劣化によるレジスタの誤動作により起こり得る。
【００２３】
本発明によるデータ連鎖保存システムでは、第１ツルー・コピー記録部分５のツルー・コピーＴＣｊと端末群２−ｊのツルー・コピーＴＣｊとは、情報的に、又は、物理的に、作用反作用の関係にあり、次の数列が例示される。
情報的作用反作用の場合：
第１ツルー・コピー記録部分５のツルー・コピーＴＣｊ：００００１１１１
第２ツルー・コピー記録部分８のツルー・コピーＴＣｊ：００００１１１１
物理的作用反作用の場合：
第１ツルー・コピー記録部分５のツルー・コピーＴＣｊ：００００１１１１
第２ツルー・コピー記録部分８のツルー・コピーＴＣｊ：１１１１００００
【００２４】
サーバ１は、オリジナル・コピー生成部分７−ｊと第２ツルー・コピー記録部分８−ｊとが形成するデータ対｛ＯＣｊ−ＴＣｊ｝をオリジナル・コピー生成部分７−ｊと第２ツルー・コピー記録部分８−ｊとから受取り、データ対｛ＯＣｊ−ＴＣｊ｝により、第１ツルー・コピー記録部分３と変換部分４とが形成するデータ対｛ＯＣｊ’−ＴＣｊ｝、｛ＯＣｊ’−ＴＣｊ｝、又は、｛ＯＣｊ’−ＴＣｊ’｝に対して上書きする。サーバ１は、更に、オリジナル・コピー生成部分７−ｊが形成するオリジナル・コピーＯＣｊ−１により第１ツルー・コピー記録部分３のオリジナル・コピーＯＣｊ−１に対して上書きし、第１ツルー・コピー記録部分３のオリジナル・コピーＯＣｊに対応するツルー・コピーＴＣｊ−１を新たに生成してそのツルー・コピーＴＣｊ−１を第１ツルー・コピー記録部分５に記録する。このように、式（２）で記述される状態を回復し、自動修正的に原状回復を実行する。式（３−１，２，３）は、連鎖的に修復されて、式（２）の状態に回復する。
【００２５】
全国的に、又は、全世界的に分散する端末群２の多くのデータ対｛ＯＣｊ−ＴＣｊ｝、又は、端末群２の全部のデータ対｛ＯＣｊ−ＴＣｊ｝を書き換えることは社会的仕組の上では不可能である。
【００２６】
図２は、本発明によるデータ連鎖保存システムの実施の他の形態を示している。ユーザーは、自己のＰＣ２−ｊを立ち上げて、見読性がある文字”Ａ”をそのＰＣ２−ｊのディスプレイに表示する。文字”Ａ”に対応するオリジナル・コピーＯＣｊは、例えば、１００１０１１０である。そのオリジナル・コピーＯＣｊに対応するツルー・コピーＴＣｊは、例えば、０１０１０００１である。オリジナル・コピー生成部分７−ｊのオリジナル・コピーＯＣｊと第２ツルー・コピー記録部分８−ｊに形成されている端末側データ対｛ＯＣｊ−ＴＣｊ｝は、自己のＰＣ２−ｊの第１レジスタに記録されている。ユーザーは、第１ツルー・コピー記録部分３と第１ツルー・コピー記録部分５に形成されているサーバ側のデータＴＣｊ−１を自己のＰＣ９−ｊの第２レジスタに呼び込むことができる。端末群２は、サーバー側データＴＣｊ−１からＭｊｋ−（ｊ−１）を計算することができる。
端末群２は、そのＭｊｋ−（ｊ−１）と端末側データ対｛ＯＣｊ−ＴＣｊ｝を用いて、下記計算を実行する。
ＴＣｊ＝Ｍｊｋ−（ｊ−１）・ＯＣｊ・・・（４）
式（４）の等号の成立又はそれの不成立が、端末２−ｊで判定される。その等号が不成立であれば、ＰＣ９−ｊに表示されている”Ａ”を見読的に変更する。その見読的変更として、文字”Ａ”の色替えが適正である。
【００２７】
端末２−ｊを要素とする端末群は、インタネットに含まれることは重要である。任意の２つの端末の間で、オリジナル・コピーＯＣｊ、ツルー・コピーＴＣｊ、又は、データ対（ＯＣｊ−ＴＣｊ）が瓦いに交換されることが重要である。
【００２８】
サーバ１と端末２には、ともに、記録器と計算器とが付属し、サーバ１の計算器は既述の式（１）の計算と、オリジナル・コピー又はツルー・コピーに対応する写像を計算する。端末２の計算器は、既述の式を計算する。式の計算と写像の生成の計算は、テーブルによる辞書的生成が可能である。
【００２９】
【発明の効果】
本発明によるデータ連鎖方式は、真理判定によりデータ保存の技術を確立することができる。
【図面の簡単な説明】
【図１】図１は、本発明によるデータ連鎖保存システムの実施の形態を示す回路ブロック図である。
【図２】図２は、ＰＣ画面を示す正面図である。
【符号の説明】
１…データ保存コンピュータ
２…データ保存端末
３，５…第１記録器
３…記録器
４…計算器
６…写像記録器
７，８…第２記録器
ＯＣｊ−１…第１対第１データ
ＴＣｊ−１…第１対第２データ
ＯＣｊ…第２対第１データ
ＴＣｊ…第２対第２データ
ＯＣｊ＋１…第３対第１データ
ＴＣｊ＋１…第３対第２データ
Ｃｊ−１…第１写像
Ｃｊ    …第２写像
【図１】
2004265360.tif 000003
【図２】
2004265360.tif 000004